(57)【特許請求の範囲】
【請求項１】
被固定部に固定されて配線・配管材を吊り持ちする配線・配管材吊持具であって、
前記配線・配管材に折り返すように回されてその配線・配管材を吊り持つ吊持部と、その吊持部の、互いに向かい合う両端部側から、その吊持部の折り返す側とは反対側に延設される、延設部とを備え、
前記延設部は、それらの先端側が互いに離れて位置し、
前記延設部のそれぞれには、その延設部を前記被固定部に固定するための固着具が貫通可能な固定部が設けられ、
前記吊持部は、径の異なる大小二種類の配線・配管材の一方を選択的に吊り持つべく、その吊持部の折り返す側にあって、前記大小二種類の配線・配管材のうち小径の配線・配管材の外面半周を越えるまで、その外面に沿って延びるように、内周が、前記小径の配線・配管材に合わせた半径からなる弧状に形成されるとともに、前記大小二種類の配線・配管材のうち大径の配線・配管材の外面に沿うよう撓み変形可能な、小径用中間曲部と、その小径用中間曲部の両端から続くように延びて、前記大径の配線・配管材の外面に沿うように、内周が、前記大径の配線・配管材に合わせた半径からなる弧状に形成され、かつ、撓み変形した前記小径用中間曲部とで、前記大径の配線・配管材の外面半周を越えるまで、その外面に沿って延びる、大径用曲部とを備える、配線・配管材吊持具。
【請求項２】
前記延設部のそれぞれは、前記被固定部に宛がわれる板面を備える板状壁を有し、その板状壁に、前記固定部が設けられる、請求項１に記載の配線・配管材吊持具。
【請求項３】
前記板状壁は、前記大径用曲部に、その全長に渡って繋がる、請求項２に記載の配線・配管材吊持具。
【請求項４】
前記固定部は、前記延設部の延びる方向に沿って複数設けられる、請求項２または３に記載の配線・配管材吊持具。
【請求項５】
前記固定部には、前記固着具が挿入される固定用穴が設けられ、それら固定用穴は、両方の前記板状壁において前記吊持部からの距離が同一となり、かつ、その同一となる各対の間隔が、前記吊持部から離れるに連れて広がるよう位置する、請求項４に記載の配線・配管材吊持具。
【請求項６】
前記固定部には、前記固着具が挿入される固定用穴が設けられ、それら固定用穴は、両方の前記板状壁において前記吊持部からの距離が同一となり、かつ、その同一となる各対の間隔が、大径の配線・配管材を保持した状態で前記吊持部から離れるに連れて広がるよう位置する、請求項４に記載の配線・配管材吊持具。
【請求項７】
前記延設部には、各固定部を分けるように区切るとともに切断可能な切り線部が設けられる、請求項４ないし６のいずれか１項に記載の配線・配管材吊持具。
【請求項８】
前記板状壁には、基端側から先端側に向かって延びる側端縁に沿って、目盛りが付される請求項２ないし７のいずれか１項に記載の配線・配管材吊持具。
【請求項９】
前記吊持部は、吊り持ちする前記配線・配管材の長手方向に幅を有する帯状に形成され、
前記板状壁は、前記吊持部の幅方向の一方の端から延設され、また、
前記延設部は、前記板状壁の他に、前記吊持部から連続するとともに前記板状壁の互いに対向する内側端から起立する起立壁を備える、請求項２ないし８のいずれか１項に記載の配線・配管材吊持具。
【請求項１０】
前記起立壁は、その起立する高さが、前記吊持部の幅方向の他方の端と一致する高さを有して、前記板状壁の先端まで延びている、請求項９に記載の配線・配管材吊持具。
【発明の詳細な説明】
【技術分野】
【０００１】
この発明は、配線・配管材を吊り持ちする配線・配管材吊持具に関するものである。
【背景技術】
【０００２】
従来、例えば配管材を支持する支持具として、図１１に示す配管材支持具１３があった（特許文献１参照）。この配管材支持具１３は、基礎床１１に対して配管材１２を支持するものであって、基礎床１１に接着固定される台座１４と、台座１４から立設する一対のボルト体１５、１５と、それらボルト体１５、１５間に架設されて配管材１２を支持する支持体１６とを備えていた。
【先行技術文献】
【特許文献】
【０００３】
【特許文献１】特開２０１２−８２９１９号公報
【発明の概要】
【発明が解決しようとする課題】
【０００４】
しかし、前記従来の配管材支持具１３は、基礎床１１に対して配管材１２を支持するものであって、基礎床１１から離れた高い位置に配管材１２を支持する場合には、ボルト体１５を長くする必要があり、その高さには自ずと限界があった。また、この配管材支持具１３は、台座１４とボルト体１５と支持体１６とから構成され、その構造が複雑であり、さらには、一種類の径の配管材１２に対応するものであって、他の径の配管材を支持する場合には、支持体１６を交換する必要があり面倒であった。
【０００５】
この発明は、上記した従来の欠点を解決するためになされたものであり、その目的とするところは、簡単な構成からなり、基礎床からの距離に関係なく配線・配管材を支持することができ、また、二種類の径の配線・配管材に対応することができる、配線・配管材吊持具を提供することにある。
【課題を解決するための手段】
【０００６】
この発明に係る配線・配管材吊持具は、前記目的を達成するために、次の構成からなる。すなわち、
請求項１に記載の発明に係る配線・配管材吊持具は、被固定部に固定されて配線・配管材を吊り持ちする配線・配管材吊持具であって、前記配線・配管材に折り返すように回されてその配線・配管材を吊り持つ吊持部と、その吊持部の、互いに向かい合う両端部側から、その吊持部の折り返す側とは反対側に延設される、延設部とを備える。ここで、前記延設部は、それらの先端側が互いに離れて位置する。そして、前記延設部のそれぞれには、その延設部を前記被固定部に固定するための固着具が貫通可能な固定部が設けられる。前記吊持部は、径の異なる大小二種類の配線・配管材の一方を選択的に吊り持つべく、その吊持部の折り返す側にあって、前記大小二種類の配線・配管材のうち小径の配線・配管材の外面半周を越えるまで、その外面に沿って延びるように、内周が、前記小径の配線・配管材に合わせた半径からなる弧状に形成されるとともに、前記大小二種類の配線・配管材のうち大径の配線・配管材の外面に沿うよう撓み変形可能な、小径用中間曲部と、その小径用中間曲部の両端から続くように延びて、前記大径の配線・配管材の外面に沿うように、内周が、前記大径の配線・配管材に合わせた半径からなる弧状に形成され、かつ、撓み変形した前記小径用中間曲部とで、前記大径の配線・配管材の外面半周を越えるまで、その外面に沿って延びる、大径用曲部とを備える。
【０００７】
この配線・配管材吊持具によると、配線・配管材に回される吊持部と、その吊持部の両端部側から延設される延設部という簡単な構成からなって、配線・配管材を吊り持ちすることで、配線・配管材を支持することができる。このため、基礎床からの距離が遠い位置に、配線・配管材を配備する場合であっても、根太とか束等の被固定部に、延設部に設けられた固定部を固定することで、配線・配管材を支持することができる。また、吊持部は、小径用中間曲部と大径用曲部とを備えて、小径の配線・配管材に対しては、小径用中間曲部を用いることで、その小径の配線・配管材を吊り持ちすることができ、大径の配線・配管材に対しては、両延設部を開くようにして、大径の配線・配管材の外面に沿うよう撓み変形させた小径用中間曲部とともに、大径用曲部を用いることで、大径の配線・配管材を吊り持ちすることができる。
【０００８】
また、請求項２に記載の発明に係る配線・配管材吊持具は、請求項１に記載の配線・配管材吊持具において、前記延設部のそれぞれは、前記被固定部に宛がわれる板面を備える板状壁を有し、その板状壁に、前記固定部が設けられる。
【０００９】
また、請求項３に記載の発明に係る配線・配管材吊持具は、請求項２に記載の配線・配管材吊持具において、前記板状壁は、前記大径用曲部に、その全長に渡って繋がる。こうして、板状壁が、変形する必要のない大径用曲部の全長に渡って繋がることで、この大径用曲部の剛性を高めるとともに板状壁の剛性を高めることができる。
【００１０】
また、請求項４に記載の発明に係る配線・配管材吊持具は、請求項２または３に記載の配線・配管材吊持具において、前記固定部は、前記延設部の延びる方向に沿って複数設けられる。これにより、延設部の延びる方向に沿って設けられる複数の固定部の一部を選択して使用することで、被固定部に対する吊持部の位置、つまりは配線・配管材の位置を調整することができる。
【００１１】
また、請求項５に記載の発明に係る配線・配管材吊持具は、請求項４に記載の配線・配管材吊持具において、前記固定部には、前記固着具が挿入される固定用穴が設けられ、それら固定用穴は、両方の前記板状壁において前記吊持部からの距離が同一となり、かつ、その同一となる各対の間隔が、前記吊持部から離れるに連れて広がるよう位置する。これにより、小径の配線・配管材を吊り持つ際、吊持部から遠い位置にある固定用穴を用いる場合であっても、この配線・配管材吊持具、ひいては配線・配管材を被固定部にしっかりと固定することができる。
【００１２】
また、請求項６に記載の発明に係る配線・配管材吊持具は、請求項４に記載の配線・配管材吊持具において、前記固定部には、前記固着具が挿入される固定用穴が設けられ、それら固定用穴は、両方の前記板状壁において前記吊持部からの距離が同一となり、かつ、その同一となる各対の間隔が、大径の配線・配管材を保持した状態で前記吊持部から離れるに連れて広がるよう位置する。これにより、大径の配線・配管材を吊り持つ際、吊持部から遠い位置にある固定用穴を用いる場合であっても、この配線・配管材吊持具、ひいては配線・配管材を被固定部にしっかりと固定することができる。
【００１３】
また、請求項７に記載の発明に係る配線・配管材吊持具は、請求項４ないし６のいずれか１項に記載の配線・配管材吊持具において、前記延設部には、各固定部を分けるように区切るとともに切断可能な切り線部が設けられる。これにより、吊持部に近い位置の固定部を用いる場合には、その固定部よりも遠い側にある延設部の部分を、切り線部で切除することができ、この配線・配管材吊持具をコンパクトにすることができる。
【００１４】
また、請求項８に記載の発明に係る配線・配管材吊持具は、請求項２ないし７のいずれか１項に記載の配線・配管材吊持具において、前記板状壁には、基端側から先端側に向かって延びる側端縁に沿って、目盛りが付される。こうして板状壁に目盛りが付されることで、この目盛りを目安に、被固定部から所要の間隔を取って配線・配管材を配設することができる。
【００１５】
また、請求項９に記載の発明に係る配線・配管材吊持具は、請求項２ないし８のいずれか１項に記載の配線・配管材吊持具において、前記吊持部は、吊り持ちする前記配線・配管材の長手方向に幅を有する帯状に形成される。そこで、前記板状壁は、前記吊持部の幅方向の一方の端から延設される。そして、前記延設部は、前記板状壁の他に、前記吊持部から連続するとともに前記板状壁の互いに対向する内側端から起立する起立壁を備える。
【００１６】
また、請求項１０に記載の発明に係る配線・配管材吊持具は、請求項９に記載の配線・配管材吊持具において、前記起立壁は、その起立する高さが、前記吊持部の幅方向の他方の端と一致する高さを有して、前記板状壁の先端まで延びている。
【発明の効果】
【００１７】
この発明に係る配線・配管材吊持具によれば、配線・配管材に回される吊持部と、その吊持部の両端部側から延設される延設部という簡単な構成からなって、配線・配管材を吊り持ちすることで、基礎床からの距離に関係なく配線・配管材を支持することができる。また、吊持部が、小径用中間曲部と大径用曲部とを備えることで、二種類の径の配線・配管材に対応することができる。
【図面の簡単な説明】
【００１８】
【図１】この発明の一実施の形態の、配線・配管材吊持具の正面図である。
【図２】同じく、図１におけるＡ−Ａ線による断面図である。
【図３】同じく、配線・配管材吊持具の斜視図である。
【図４】同じく、配線・配管材を吊持部に挿入する過程を示す斜視図である。
【図５】同じく、小径の配線・配管材を根太（被固定部）に固定した状態を示す斜視図である。
【図６】同じく、小径の配線・配管材を束（被固定部）に固定した状態を示す斜視図である。
【図７】同じく、大径の配線・配管材を根太（被固定部）に固定した状態を示す正面図である。
【図８】同じく、延設部の一部を切り線部で切除した状態の正面図である。
【図９】同じく、図８に示す配線・配管材吊持具を用いて、小径の配線・配管材を根太（被固定部）に固定した状態を示す斜視図である。
【図１０】この発明の変形例を示す、配線・配管材吊持具の斜視図である。
【図１１】従来の配管材支持具を示す正面図である。
【発明を実施するための形態】
【００１９】
以下、この発明に係る配線・配管材吊持具を実施するための形態を図面に基づいて説明する。
【００２０】
図１〜図９は、本発明の一実施の形態を示す。図中符号１は、被固定部を示す。２は、配線・配管材（配線材または配管材）を示す。３は、被固定部１に固定されて配線・配管材２を吊り持ちする配線・配管材吊持具を示す。
【００２１】
この配線・配管材吊持具３は、配線・配管材２に折り返すように回されてその配線・配管材２を吊り持つ吊持部４と、その吊持部４の、互いに向かい合う両端部４ａ、４ａ側から、その吊持部４の折り返す側とは反対側に延設される、延設部５、５とを備える。ここで、前記延設部５、５は、それらの先端側が互いに離れて位置し、かつ、前記延設部５、５のそれぞれには、その延設部５を被固定部１に固定するためのビスとか釘等の固着具６が貫通可能な固定部５ａが設けられる。
【００２２】
そして、吊持部４は、径の異なる大小二種類の配線・配管材２の一方を選択的に吊り持つべく、その吊持部４の折り返す側にあって、小径の配線・配管材２ａの外面半周を越えるまで、その外面に沿って延びるとともに、大径の配線・配管材２ｂの外面に沿うよう撓み変形可能な、小径用中間曲部４ｂと、その小径用中間曲部４ｂの両端から続くように延びて、大径の配線・配管材２ｂの外面に沿い、かつ、撓み変形した小径用中間曲部４ｂとで、大径の配線・配管材２ｂの外面半周を越えるまで、その外面に沿って延びる、大径用曲部４ｃ、４ｃとを備える。すなわち、吊持部４は、大径の配線・配管材２ｂに対し、撓み変形する個所（小径用中間曲部４ｂ）と、変形しない個所（大径用曲部４ｃ）とを有する。このことから、図示実施の形態においては、大径用曲部４ｃは、小径用中間曲部４ｂよりも撓みにくく形成される（つまり、剛性が高い）。
【００２３】
詳細には、延設部５のそれぞれは、前記被固定部１に宛がわれる板面を備える板状壁５ｂを有し、その板状壁５ｂに、前記固定部５ａが設けられる。より詳細には、固定部５ａは、延設部５（詳しくは、板状壁５ｂ）の延びる方向に沿って複数設けられる。そして、固定部５ａには、固着具６が挿入される固定用穴５ｃが設けられ、それら固定用穴５ｃ、５ｃは、両方の板状壁５ｂ、５ｂにおいて吊持部４からの距離が同一（同一とは、厳密な意味での同一に限らず、実質的に同一であればよく、略同一も含む。以下同様。）となり、かつ、その同一となる各対の間隔５ｄが、吊持部４から離れるに連れて広がるよう位置する。さらに、固定用穴５ｃ、５ｃは、吊持部４からの距離が同一となる各対の間隔５ｄが、両延設部５、５を開くようにして大径の配線・配管材２ｂを保持した状態で吊持部４から離れるに連れて広がるよう位置する。
【００２４】
また、吊持部４は、吊り持ちする配線・配管材２の長手方向に幅を有する帯状に形成される。そこで、板状壁５ｂは、吊持部４の幅方向の一方の端から延設される。そして、延設部５は、前記板状壁５ｂの他に、吊持部４から連続するとともに板状壁５ｂ、５ｂの互いに対向する内側端から起立する起立壁５ｅ、５ｅを備え、それら板状壁５ｂと起立壁５ｅとで、断面Ｌ字状に形成される。
【００２５】
具体的には、被固定部１は、根太１ａとか束１ｂ等、その他の建物の構造材等からなる。配線・配管材２は、例えば配管材として排水用の硬質塩化ビニル管からなる。そして、小径の配線・配管材２ａは、例えば外径６０ｍｍの管（ＶＵ５０）からなり（図１、図５参照）、大径の配線・配管材２ｂは、例えば外径８９ｍｍの管（ＶＵ７５）からなる（図７参照）。
【００２６】
配線・配管材吊持具３は、例えば合成樹脂製であって、成形により形成される。そして、この配線・配管材吊持具３は、吊持部４の小径用中間曲部４ｂの内周が、小径の配線・配管材２ａに合わせて半径３０ｍｍの弧状に形成され、大径用曲部４ｃは、大径の配線・配管材２ｂに合わせて半径４４．５ｍｍの弧状に形成される。また、図示実施の形態においては、配線・配管材２をしっかりと保持するために、吊持部４の内周は、その周方向に沿って凹凸が連続する凹凸面となっている。そして、その凹凸面における頂部を結ぶ面が、前記数値の半径となる。
【００２７】
延設部５においては、板状壁５ｂは、前記大径用曲部４ｃに、その全長に渡って繋がっている。図示実施形態においては、板状壁５ｂは、大径用曲部４ｃに加えて、小径用中間曲部４ｂの一部に渡って繋がるよう延びている。そして、起立壁５ｅは、その起立する高さが、吊持部４の幅方向の他方の端（つまり、板状壁５ｂが延設される一方の端とは、反対の端）と一致する高さを有して、板状壁５ｂの先端まで延びている。詳細には、起立壁５ｅ、５ｅは、吊持部４の、隙間４ｄを空けて互いに向かい合う両端部４ａ、４ａから互いに平行に延びる第１起立壁５ｆ、５ｆと、それら第１起立壁５ｆ、５ｆから互いに離れるようにして弧状に延びる第２起立壁５ｇ、５ｇと、それら第２起立壁５ｇ、５ｇから互いに平行に延びる第３起立壁５ｈ、５ｈとを備える。
【００２８】
また、延設部５には、各固定部５ａを分けるように区切るとともに切断可能な切り線部５ｉが設けられる。図示実施の形態においては、切り線部５ｉは、延設部５の一方の面（詳しくは、断面Ｌ字状の内側の面）から窪む溝からなり、板状壁５ｂから起立壁５ｅに渡って設けられる。そして、固定部５ａにおいては、板状壁５ｂの一方の面（詳しくは、起立壁５ｅが起立する側となる表側の面）に、円板状に突出した突部５ｊを有し、その突部５ｊの中央に前記固定用穴５ｃが、貫通形成される。
【００２９】
また、板状壁５ｂには、前記表側の面に、基端側から先端側に向かって延びる側端縁（詳しくは、外側の端縁）に沿って、目盛り５ｋが付される。
【００３０】
次に、以上の構成からなる配線・配管材吊持具３の作用効果について説明する。この配線・配管材吊持具３によると、配線・配管材２に回される吊持部４と、その吊持部４の両端部４ａ、４ａ側から延設される延設部５という簡単な構成からなって、配線・配管材２を吊り持ちすることで、配線・配管材２を支持することができる。このため、基礎床からの距離が遠い位置に、配線・配管材２を配備する場合であっても、根太とか束等の被固定部１に、延設部５に設けられた固定部５ａを固定することで、配線・配管材２を支持することができる。そして、吊持部４は、小径用中間曲部４ｂと大径用曲部４ｃとを備えて、小径の配線・配管材２ａ（２）に対しては、小径用中間曲部４ｂを用いることで、その小径の配線・配管材２ａを吊り持ちすることができ（図５、図６参照）、また、大径の配線・配管材２ｂ（２）に対しては、両延設部５、５を開くようにして、大径の配線・配管材２ｂの外面に沿うよう撓み変形させた小径用中間曲部４ｂとともに、大径用曲部４ｃを用いることで、大径の配線・配管材２ｂを吊り持ちすることができる（図７参照）。
【００３１】
すなわち、この配線・配管材吊持具３によれば、配線・配管材２に回される吊持部４と、その吊持部４の両端部４ａ、４ａ側から延設される延設部５という簡単な構成からなって、配線・配管材２を吊り持ちすることで、基礎床からの距離に関係なく配線・配管材２を支持することができる。そして、吊持部４が、小径用中間曲部４ｂと大径用曲部４ｃとを備えることで、二種類の径の配線・配管材２に対応することができる。
【００３２】
また、固定部５ａは、延設部５の延びる方向に沿って複数設けられており、これら複数の固定部５ａ、５ａの一部を選択して使用することで、被固定部１に対する吊持部４の位置、つまりは配線・配管材２の位置を調整することができる。
【００３３】
また、固定部５ａに設けられた固定用穴５ｃは、両方の板状壁５ｂ、５ｂにおいて吊持部４からの距離が同一となり、かつ、その同一となる各対の間隔５ｄが、吊持部４から離れるに連れて広がるよう位置している。これにより、小径の配線・配管材２ａを吊り持つ際、吊持部４から遠い位置にある固定用穴５ｃを用いる場合であっても（つまり、被固定部１から遠い位置で配線・配管材２ａを支持する場合であっても）、この配線・配管材吊持具３、ひいては小径の配線・配管材２ａを被固定部１にしっかりと固定することができる（図５、図６参照）。さらに、固定用穴５ｃは、両方の板状壁５ｂにおいて吊持部４からの距離が同一となる各対の間隔５ｄが、大径の配線・配管材２ｂを保持した状態で吊持部４から離れるに連れて広がるよう位置する。これにより、大径の配線・配管材２ｂを吊り持つ際、吊持部４から遠い位置にある固定用穴５ｃを用いる場合であっても（つまり、被固定部１から遠い位置で配線・配管材２ｂを支持する場合であっても）、この配線・配管材吊持具３、ひいては大径の配線・配管材２ｂを被固定部１にしっかりと固定することができる（図７参照）。
【００３４】
また、延設部５には、各固定部５ａを分けるように区切るとともに切断可能な切り線部５ｉが設けられている。これにより、吊持部４に近い位置の固定部５ａを用いる場合には、その固定部５ａよりも遠い側にある延設部５の部分を、切り線部５ｉで切除することができ、この配線・配管材吊持具３をコンパクトにすることができる（図８、図９参照）。
【００３５】
また、延設部５においては、板状壁５ｂが、変形する必要のない大径用曲部４ｃの全長に渡って繋がることで、この大径用曲部４ｃの剛性を高めるとともに板状壁５ｂの剛性（詳しくは、吊持部４から延びる基端側の剛性）を高めることができる。また、延設部５は、板状壁５ｂと起立壁５ｅとで、断面Ｌ字状に形成されており、これにより、延設部５の剛性を高めることができる。
【００３６】
また、板状壁５ｂには、基端側から先端側に向かって延びる側端縁に沿って、目盛り５ｋが付されている。こうして、目盛り５ｋが付されることで、この目盛り５ｋを目安に、被固定部１から所要の間隔を取って配線・配管材２を配設することができる。
【００３７】
なお、本発明は、上述した実施の形態に限定されるわけではなく、その他種々の変更が可能である。例えば、吊持部４の内周は、その周方向に沿って凹凸が連続する凹凸面となっているが、図１０に示すように、平坦であってもよい。
【００３８】
また、吊持部４の両端部４ａ、４ａ間には、隙間４ｄが設けられているが、この隙間４ｄが設けられることなく、両端部４ａ、４ａが接していてもよい。
【００３９】
また、固定用穴５ｃは、両方の板状壁５ｂ、５ｂにおいて吊持部４からの距離が同一となる各対の間隔５ｄが、吊持部４から離れるにつれて広がるよう位置するが、この間隔５ｄは、吊持部４から離れるにつれて狭くなってもよく、また、同じであってもよい。
【００４０】
また、固定用穴５ｃは、貫通する穴でなくとも、有底の穴であって、固着具６により貫通形成されてもよい。さらには、固定用穴５ｃが設けられることなく、固着具６が、固定部５ａに穴をあけるようにして進入するものであってもよい。
【００４１】
また、固定部５ａは、延設部５の板状壁５ｂに設けられるが、小径の配線・配管材２ａの吊り持つ場合には、起立壁５ｅに設けた固定部を被固定部１に固定してもよい。
【００４２】
また、延設部５には、切り線部５ｉとか目盛り５ｋが設けられるが、これらの一方あるいは両方は、なくともよい。
【符号の説明】
【００４３】
１  被固定部
２  配線・配管材
２ａ  小径の配線・配管材（配線・配管材）
２ｂ  大径の配線・配管材（配線・配管材）
３  配線・配管材吊持具
４  吊持部
４ａ  端部
４ｂ  小径用中間曲部
４ｃ  大径用曲部
５  延設部
５ａ  固定部
５ｂ  板状壁
５ｃ  固定用穴
５ｄ  間隔
５ｅ  起立壁
５ｉ  切り線部
５ｋ  目盛り
６  固着具
【図１】
0006637337.tif 000002
【図２】
0006637337.tif 000003
【図３】
0006637337.tif 000004
【図４】
0006637337.tif 000005
【図５】
0006637337.tif 000006
【図６】
0006637337.tif 000007
【図７】
0006637337.tif 000008
【図８】
0006637337.tif 000009
【図９】
0006637337.tif 000010
【図１０】
0006637337.tif 000011
【図１１】
0006637337.tif 000012